(57)【要約】【課題】例えば子供と大人が共に歌唱して楽しむ場合、それぞれに適した背景映像を表示させることで、よりカラオケを楽しめるようにする。【解決手段】表示部３６の右画面に表示させる映像のフレーム切替タイミングを、遅延回路部３８６によって左画面に表示させる映像のフレーム切替タイミングより所定時間ΔＴ遅らせ左右両画面にそれぞれ映像を表示させる。大人用マイク２５ａ及び子供用マイク２５ｂにそれぞれ設けられた映像受光部２７ａ，２７ｂで受けた光の映像に基づいて、右映像が見える領域、左映像が見える領域、それらの間にある左右映像が混ざって見える領域の何れに大人用マイク２５ａあるいは子供用マイク２５ｂが存在するかを自動的に判定する。そして、子供には大人向けの背景映像を見せないようにしながら、大人はその背景映像を見られるようにする。【選択図】図２
2007271985.tif 000002
【特許請求の範囲】
【請求項１】
第１の歌唱者によるカラオケ歌唱の音声信号を入力する第１のマイクロフォンと、
第２の歌唱者によるカラオケ歌唱の音声信号を入力する第２のマイクロフォンと、
歌詞テロップ及び背景映像を表示する表示手段と、
選択された楽曲を演奏し且つ歌詞テロップ及び背景映像を表示手段に表示させる制御手段と、
を備え、
前記表示手段は、同一の表示画面に対する第１の視点及び第２の視点にそれぞれ対応する第１の表示方向及び第２の表示方向に、互いに異なる第１の映像及び第２の映像を同時に表示可能に構成されており、
さらに、
前記第１のマイクロフォンに設けられ、前記表示手段によって表示される前記第１の映像の光及び第２の映像の光を受けると受光信号を出力する第１の受光手段と、
前記第２のマイクロフォンに設けられ、前記表示手段によって表示される前記第１の映像の光及び第２の映像の光を受けると受光信号を出力する第２の受光手段と、
前記第１の受光手段及び第２の受光手段によって出力された受光信号を入力し、その入力した受光信号の出力値が変化するタイミングを抽出する抽出手段と、
第１の映像及び第２の映像と、第１の表示方向及び第２の表示方向との対応関係を記憶する記憶手段と、
を備え、
前記制御手段は、所定のカラオケ楽曲が選択されている場合には、そのカラオケ楽曲が選択されてからそのカラオケ楽曲の演奏が終了するまでの間、前記第１の映像のフレーム切替タイミングと第２の映像のフレーム切替タイミングとを所定時間ずらし、且つそれぞれ同じフレーム切替周期で前記第１の映像及び第２の映像を前記表示手段に表示させ、前記第１の受光手段及び第２の受光手段によって出力された受光信号の出力値が変化するタイミングを抽出するよう抽出手段を制御し、その抽出されたタイミングと、前記第１の映像のフレーム切替タイミング及び第２の映像のフレーム切替タイミングとの時間差をそれぞれ算出し、その算出された時間差に基づいて前記第１の受光手段及び第２の受光手段が受けた光が前記第１の映像の光または第２の映像の光のいずれか一方、もしくは双方と同じか否かを判断し、その判断結果と、前記記憶手段に記憶された対応関係とに基づいて、前記第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じた背景映像を前記表示手段へ表示させることを特徴とするカラオケ装置。
【請求項２】
請求項１に記載のカラオケ装置において、
前記制御手段は、前記第１のマイクロフォン及び第２のマイクロフォンの存在位置と、前記第１の表示方向及び第２の表示方向との対応関係に基づき、前記第１のマイクロフォン及び第２のマイクロフォンの存在位置が、それぞれ異なる前記表示方向に対応している場合には、前記第１の表示方向に表示するための映像内容と、前記第２の表示方向に表示するための映像内容とを異なるものに決定し、そうでない場合には、前記第１の表示方向に表示するための映像内容を、前記第２の表示方向に表示するための映像内容と同一のものに決定することを特徴とするカラオケ装置。
【請求項３】
請求項１または請求項２に記載のカラオケ装置において、
前記第１の受光手段及び第２の受光手段は、それぞれ、
前記第１のマイクロフォン及び第２のマイクロフォンが利用者によって保持され、外部からの音声を受ける際に、前記第１のマイクロフォン及び第２のマイクロフォンの外周略水平方向から入射した光を集めるように構成された集光体と、
前記集光体によって集められた光を受けると受光信号を出力する受光部と、
を備えることを特徴とするカラオケ装置。
【請求項４】
請求項１または請求項２に記載のカラオケ装置におけるマイクロフォンであって、
外部からの音声を受けると音声信号を出力する受音部と、
前記マイクロフォンが利用者によって保持され、外部からの音声を受ける際に、前記マイクロフォンの外周略水平方向から入射した光を集めるように構成された集光体と、
前記集光体によって集められた光を受けると受光信号を出力する受光部と、
を備えることを特徴とするマイクロフォン。
【発明の詳細な説明】
【技術分野】
【０００１】
本発明は、カラオケ装置に関し、特に背景映像の制御技術に関する。
【背景技術】
【０００２】
従来、カラオケの歌詞を示す歌詞テロップとカラオケの背景映像とをモニタ画面に表示し、再生したカラオケ曲およびマイク音声をスピーカから出力するカラオケ装置が知られている。
【０００３】
例えば一般的に大人向けと思われるジャンル（例えば演歌やポップスなど）のカラオケ曲の場合、その背景映像中に大人向けの映像内容が含まれている場合がある。そのため、例えば子供がそのような一般的に大人向けと思われるジャンルの曲を選んだ場合、上述した大人向けの映像内容が含まれる背景映像がモニタ画面に表示されてしまうこことなる。
【０００４】
このような事態が生じては、子供に悪影響を与えるおそれがあるため、好ましくない。そこで、例えば特許文献１に開示された発明では、利用者が子供モードを選択設定した場合には、大人向けの映像内容が含まれる背景映像を再生しないようにしている。
【特許文献１】特開平１０−２０８６９号公報
【発明の開示】
【発明が解決しようとする課題】
【０００５】
ところで、例えば特開２００２−９９２２３号公報に開示されているように、現在、見る方向によって異なる内容を表示できる表示装置が開発されている。これを上手く利用すれば、子供と大人が共に歌唱する際に、大人は大人向けの背景映像を見ることとなるが、子供はその大人向けの背景映像を見ることはできず、別の背景映像を見るようにすることが可能である。
【０００６】
しかし、上述の特開２００２−９９２２３号公報には、見る方向によって異なる映像を表示できる表示装置の構成が開示されているだけである。例えばカウンターやテーブルの上面に設けた表示装置を挟んで店員と客が対面した場合に、店員は左側から、客は右側から表示装置を見るとすれば、客には見せたくなく店員のみが見ることのできる表示内容については、右側から見えないように設定しておくのである。
【０００７】
このような使用方法を前提とした場合には問題ないが、カラオケに適用した場合には、下記のような問題がある。つまり、カラオケを歌唱している人は特定の場所に必ずいるとは限らず、背景映像を表示している表示装置を右側から見る位置にいる場合もあれば、左側から見る位置にいる場合もあり、中央から見る位置にいる場合もある。そしてさら、大人と子供が離れて歌唱している場合もあれば、くっついて歌唱している場合もある。
【０００８】
このように、歌唱している子供と大人の位置が予め定まっていないため、カラオケにそのまま適用することはできない。
本発明は、上記課題に鑑みなされたものであり、例えば子供と大人が共に歌唱して楽しむ場合、それぞれに適した背景映像を表示させることで、よりカラオケを楽しめるようにすることを目的とする。
【課題を解決するための手段】
【０００９】
本発明のカラオケ装置（１：なお、この欄においては、発明に対する理解を容易にするため、必要に応じて「発明を実施するための最良の形態」欄において説明した構成要素を括弧内に示すが、この記載によって特許請求の範囲を限定することを意味するものではない。）は、第１の歌唱者によるカラオケ歌唱の音声信号を入力する第１のマイクロフォン（２５ａ）と、第２の歌唱者によるカラオケ歌唱の音声信号を入力する第２のマイクロフォン（２５ｂ）と、歌詞テロップ及び背景映像を表示する表示手段（３６）と、選択された楽曲を演奏し且つ歌詞テロップ及び背景映像を表示手段に表示させる制御手段（１２）と、を備えている。
【００１０】
表示手段は、同一の表示画面に対する第１の視点及び第２の視点にそれぞれ対応する第１の表示方向及び第２の表示方向に、互いに異なる第１の映像及び第２の映像を同時に表示可能に構成されている。
【００１１】
さらに、カラオケ装置は、第１のマイクロフォンに設けられ、表示手段によって表示される前記第１の映像の光及び第２の映像の光を受けると受光信号を出力する第１の受光手段（２７ａ）と、第２のマイクロフォンに設けられ、表示手段によって表示される前記第１の映像の光及び第２の映像の光を受けると受光信号を出力する第２の受光手段（２７ｂ）と、第１の受光手段及び第２の受光手段によって出力された受光信号を入力し、その入力した受光信号の出力値が変化するタイミングを抽出する抽出手段（１２）と、第１の映像及び第２の映像と、第１の表示方向及び第２の表示方向との対応関係を記憶する記憶手段（１６）と、を備えている。
【００１２】
そして、本発明のカラオケ装置における制御手段は、所定のカラオケ楽曲が選択されている場合には、そのカラオケ楽曲が選択されてからそのカラオケ楽曲の演奏が終了するまでの間、前記第１の映像のフレーム切替タイミングと第２の映像のフレーム切替タイミングとを所定時間ずらし、且つそれぞれ同じフレーム切替周期で前記第１の映像及び第２の映像を表示手段に表示させる。
【００１３】
ここで、上述した「フレーム切替タイミング」及び「フレーム切替周期」について説明する。第１の映像及び第２の映像は複数のフレーム（画面）で構成されている。そして、上述した「フレーム切替タイミング」とは、１つのフレームから次のフレームに切り替わるタイミンングを指し、「フレーム切替周期」とは、１つの「フレーム切替タイミング」から次の「フレーム切替タイミング」までの時間を指す。例えば第１の映像及び第２の映像をともに、３０フレームを１秒間に表示すると、フレーム切替タイミングは、１／３０秒（約０．０３３秒）ごとに発生し、フレーム切替周期は１／３０秒（約０．０３３秒）となる。
【００１４】
また、上述した「所定時間」とは、第１の受光手段及び第２の受光手段が受けた光のフレーム切替タイミングを検出するための処理時間を超える時間であり、且つフレーム切替タイミングが発生するタイミングごとに、そのタイミングを基準にして前後に前記処理時間を除いた時間帯に設定される時間である。もしも「所定時間」が、前記光のフレーム切替タイミングを検出するための処理時間を超える時間に設定されていない場合、またはフレーム切替タイミングが発生するタイミングごとに、そのタイミングを基準にして前後に前記処理時間を除いた時間帯に設定されていない場合には、前記光のフレーム切替タイミングが検出されないので、第１の受光手段及び第２の受光手段が受けた光が第１の映像または第２の映像のいずれか一方と同じか、もしくは双方と同じかを判断できない。例えば第１の受光手段及び第２の受光手段が受けた光のフレーム切替タイミングを検出するための処理時間が０．００５秒未満であり、第１の映像及び第２の映像のフレーム切替周期が、１／３０秒（約０．０３３秒）であれば、１回目のフレーム切替タイミングが発生するまでに「所定時間」を設定する場合には、次のようにすればよい。すなわち、「所定時間」を０．００５秒以上から約０．０３３秒−０．００５秒＝約０．０２８秒以下までの時間、例えば０．０１６秒と設定すればよい。
【００１５】
次に、本発明のカラオケ装置における制御手段は、第１の受光手段及び第２の受光手段によって出力された受光信号の出力値が変化するタイミングを抽出するよう抽出手段を制御し、その抽出されたタイミングと、前記第１の映像のフレーム切替タイミング及び第２の映像のフレーム切替タイミングとの時間差をそれぞれ算出し、その算出された時間差に基づいて第１の受光手段及び第２の受光手段が受けた光が前記第１の映像の光または第２の映像の光のいずれか一方、もしくは双方と同じか否かを判断し、その判断結果と、記憶手段に記憶された対応関係とに基づいて、第１のマイクロフォン及び第２のマイクロフォンの存在位置と、第１の表示方向及び第２の表示方向との対応関係を判定し、その判定した対応関係に基づいて、第１の表示方向及び第２の表示方向に表示させるための映像内容を決定し、その決定した映像内容に応じた背景映像を表示手段へ表示させるのである。
【００１６】
例えば第１の歌唱者が大人で、第２の歌唱者が子供であって、２人で一緒にカラオケ曲を歌唱する場合を例に挙げて説明する。「所定のカラオケ楽曲」とは、例えば、背景映像に大人向けの映像内容が含まれているような楽曲である。このカラオケ楽曲が選択されると、第１の歌唱者（大人）、第２の歌唱者（子供）は、それぞれ第１のマイクロフォン（大人用マイク２５ａ）、第２のマイクロフォン（子供用マイク２５ｂ）を持ってカラオケ歌唱の準備をする。そして、第１のマイクロフォン（大人用マイク２５ａ）と第２のマイクロフォン（子供用マイク２５ｂ）の位置の判定を開始する。ただし、絶対位置ではなく、第１のマイクロフォン及び第２のマイクロフォンの存在位置と、第１の表示方向及び第２の表示方向との対応関係を判定するのである。
【００１７】
このようにして自動的に位置関係を判定し、その判定した対応関係に基づいて、大人が存在すると推定される表示方向に表示するための映像内容及び子供が存在すると推定される表示方向に表示するための映像内容を決定し、その決定した映像内容に応じた背景映像を表示手段に表示させれば、それぞれに適した背景映像を表示させることができ、よりカラオケを楽しむことができる。
【００１８】
そして、所定のカラオケ楽曲が選択されている場合には、そのカラオケ楽曲が選択されてからそのカラオケ楽曲の演奏が終了するまでの間、マイクロフォンの位置に基づいて背景映像の出力制御を行なう。したがって、例えばカラオケ歌唱中に子供が位置を変えて、その大人向けの背景映像を見ることができる位置に来た場合には、自動的に位置関係を判定し、その判定した対応関係に基づいて、子供には大人向けの背景映像を見せないようにすることができる。
【００１９】
本発明のカラオケ装置は、カラオケルーム（４９）内に設置されるカラオケ装置に限られず、自動車（４４９）内などの移動体内に設置されるカラオケ装置であってもよく、上述した効果と同様の効果を奏する。
【００２０】
そして、子供には大人向けの背景映像を見せないようにしながら、大人はその背景映像を見ることができるようにするためには、制御手段が請求項２に示すような制御を実行すればよい。
【００２１】
つまり、第１のマイクロフォン及び第２のマイクロフォンの存在位置と、第１の表示方向及び第２の表示方向との対応関係に基づき、第１のマイクロフォン及び第２のマイクロフォンの存在位置が、それぞれ異なる前記表示方向に対応している場合には、第１の表示方向に表示するための映像内容と、第２の表示方向に表示するための映像内容とを異なるものに決定する。一方、そうでない場合には、第１の表示方向に表示するための映像内容を、第２の表示方向に表示するための映像内容と同一のものに決定するのである。
【００２２】
なお、第１の歌唱者と第２の歌唱者の関係については、特に大人と子供という関係のみに限定されるわけではなく、例えば男と女であってもよいし、上司と部下など、種々考えられる。
【００２３】
また、第１の受光手段及び第２の受光手段は、マイクロフォンが利用者によって保持され、外部からの音声を受ける際に、マイクロフォンの外周のいずれの方向から略水平に入射した光であっても受光できるとよい。
【００２４】
すなわち、請求項３に記載のように、第１の受光手段及び第２の受光手段は、それぞれ、第１のマイクロフォン及び第２のマイクロフォンが利用者によって保持され、外部からの音声を受ける際に、第１のマイクロフォン及び第２のマイクロフォンの外周略水平方向から入射した光を集めるように構成された集光体（２５９）と、集光体によって集められた光を受けると受光信号を出力する受光部（２６３）とを備えるとよい。
【００２５】
このように構成されたカラオケ装置によれば、マイクロフォンが利用者によって保持され、外部からの音声を受ける際に、集光体がマイクロフォンの外周略水平方向から入射した光を集めるように構成されているので、マイクロフォンの外周のいずれの方向から略水平に入射した光であっても受光できる。例えばマイクロフォンが略球形の形状を有する受音部（２６５）と、その受音部に接続する握り手部（２５３）とを備えている場合には、外部からの音声を受音する際には、一般的に利用者は受音部を持たずに、握り手部を持つ。よって、例えば集光体は、利用者によって持たれることのない受音部に設けられる。そして、マイクロフォンの外周のいずれの方向から略水平に入射した光であっても受光できるので、例えば歌唱者が、意識的にマイクロフォンに設けられた受光手段を発光手段の方へ向けて握り手部を持つ必要がなく、それぞれの歌唱者の持ちやすいように自由に握り手部を持つことができるので、歌唱者はカラオケに集中して楽しむことができる。
【００２６】
また、上述したようなマイクロフォンを既存のカラオケ装置へ付加できるように、マイクロフォン単体として構成されるとよい。
すなわち、請求項４に記載のように、外部からの音声を受けると音声信号を出力する受音部（２６５）と、マイクロフォンが利用者によって保持され、外部からの音声を受ける際に、マイクロフォンの外周略水平方向から入射した光を集めるように構成された集光体（２５９）と、集光体によって集められた光を受けると受光信号を出力する受光部（２６３）と、を備えるとよい。
【００２７】
このように構成された本発明のマイクロフォンによれば、既存のカラオケ装置を本発明のカラオケ装置の構成になるように改造して、本発明のマイクロフォンを付加することで、次のような効果を奏する。マイクロフォンの外周のいずれの方向から略水平に入射した光であっても受光できるので、例えば歌唱者が、意識的にマイクロフォンに設けられた受光手段を発光手段の方へ向けて握り手部を持つ必要がない。つまり、それぞれの歌唱者の持ちやすいように自由に握り手部を持つことができるので、歌唱者はカラオケに集中して楽しむことができる。
【発明を実施するための最良の形態】
【００２８】
以下に本発明の実施形態を図面とともに説明する。
図１はカラオケ装置１の構成を示すブロック図であり、図２は映像出力及び映像受光に関する構成を示すブロック図である。
【００２９】
［カラオケ装置１の構成の説明］
カラオケ装置１は、図１に示すように、カラオケ装置１全体の動作を制御する制御部１２と、カラオケ装置１をネットワーク１００に接続するためのインタフェース部１４と、演奏楽曲の伴奏内容及び歌詞を示す楽曲データや映像データなどを記憶するハードディスク（ＨＤＤ）１６と、複数のキー・スイッチからなる操作部１８と、リモコン端末２や携帯電話からの赤外線信号を赤外線通信によって受信するための赤外線通信部２０と、操作部１８からの信号を処理する操作処理部２２と、ＨＤＤ１６に記憶された楽曲データから演奏楽曲のオーディオ信号を生成し、生成されたオーディオ信号及びマイクロフォン（以下、マイクという）２５ａ，２５ｂを介して入力された歌唱音声信号を増幅してスピーカ２８へ出力する音声制御部２４と、音声制御部２４によってＨＤＤ１６から取得されたカラオケ楽曲データ（演奏データ）に基づくカラオケ演奏を行うＭＩＤＩ音源３０と、制御部１２によってＨＤＤ１６から取得された映像データを一時的に記憶するビデオＲＡＭ３２，３３と、ビデオＲＡＭ３２，３３に記憶された映像データに基づく映像再生及びその再生される映像の表示部３６での表示を制御する映像制御部３８と、表示部３６で表示された映像の光を受けるための映像受光部２７ａ，２７ｂとを備えている。
【００３０】
そして、制御部１２、インタフェース部１４、ＨＤＤ１６、赤外線通信部２０、操作処理部２２、ビデオＲＡＭ３２，３３、映像制御部３８は、各々バス３９によって接続されている。また、制御部１２と音声制御部２４とはＵＳＢ４０によって接続されている。なお、制御部１２は、後述する各種処理を実行する。
【００３１】
ＨＤＤ１６には、このカラオケ装置１の動作を制御するシステムプログラム、アプリケーションプログラム等が記憶されており、カラオケ装置１の電源がオンされて起動プログラムされると、これらのプログラムが制御部１２に読み込まれる。
【００３２】
カラオケ演奏時等にマイク２５ａ，２５ｂから入力された歌唱音声信号は、音声制御部２４において増幅及びＡ／Ｄ変換される。そして、エコー等の音響効果が付加された後、カラオケ演奏音の信号とミキシングされてスピーカ２８へ出力される。上述したマイク２５ａ，２５ｂは、大人用マイク２５ａと子供用マイク２５ｂである。
【００３３】
この大人用マイク２５ａと子供用マイク２５ｂには、それぞれ映像受光部２７ａ，２７ｂが設けられている。
一方、映像の再生に関して、制御部１２はＨＤＤ１６に記憶されている背景映像に関する映像データをビデオＲＡＭ３２，３３へ出力し、映像制御部３８を制御することで、この映像データを再生して表示部３６に表示する。ここで、背景映像には、カラオケ曲のジャンルや内容によって、大人向けの映像が含まれている場合と、元々そのような大人向けの映像が含まれない場合とがある。そして、大人向けの映像が含まれる背景映像に関しては、大人向けの映像が含まれた映像データと、そのような大人向けの映像が含まれない映像データの２種類の映像データがセットになっている。
【００３４】
そして、映像出力に関する構成及び映像受光部２７ａ，２７ｂの構成の順に以下説明する。
［映像出力に関する構成の説明］
まず、映像出力に関する構成を説明する。
【００３５】
表示部３６は、例えばデュアルビューディスプレイなどと称される、見る方向によって異なる映像を表示可能な液晶表示器を用いて構成されている。このような表示器は、例えば特開２００２−９９２２３号公報や特開２００５−８４２９９号公報などによって公知になっている。本実施形態では、右画面及び左画面にそれぞれ別の映像を表示することによって、図１１に示すように、右方向から見ると右画像、左方向から見ると左画像が見えることとなる。なお、中央付近から見ると、左右の画像が混ざった画像として見えることとなる。
【００３６】
このようなデュアルビュー表示のため、映像制御部３８は、図２に示すように、第１ＶＧＡ部３８１と、第２ＶＧＡ部３８２と、切替スイッチ部３８３と、第１映像出力部３８４と、第２映像出力部３８５と、遅延回路部３８６とを備えている。第１ＶＧＡ部３８１はビデオＲＡＭ３２に記憶された映像データに基づく映像再生を司るものであり、同様に、第２ＶＧＡ部３８２はビデオＲＡＭ３３に記憶された映像データに基づく映像再生を司るものである。そして、これら第１ＶＧＡ部３８１及び第２ＶＧＡ部３８２は、切替スイッチ部３８３を介して、第１映像出力部３８４及び第２映像出力部３８５と接続されている。また、第１映像出力部３８４は、遅延回路部３８６に接続されている。第１映像出力部３８４は遅延回路部３８６を介して表示部３６の右画面への映像表示を司り、第２映像出力部３８５は表示部３６の左画面への映像表示を司るものである。
【００３７】
切替スイッチ部３８３は、４つのスイッチＳ１，Ｓ２，Ｓ３，Ｓ４から構成されており、これらのスイッチＳ１，Ｓ２，Ｓ３，Ｓ４のＯＮ／ＯＦＦを切り替えることによって、以下の４パターンの接続を実現することができるようにされている。
【００３８】
（１）第１ＶＧＡ部３８１と第１映像出力部３８４を接続し、第２ＶＧＡ部３８２と第２映像出力部３８５とを接続する。この場合は、スイッチＳ１，Ｓ２がＯＮであり、スイッチＳ３，Ｓ４がＯＦＦである。
【００３９】
（２）第１ＶＧＡ部３８１と第２映像出力部３８５を接続し、第２ＶＧＡ部３８２と第１映像出力部３８４とを接続する。この場合は、スイッチＳ１，Ｓ２がＯＦＦであり、スイッチＳ３，Ｓ４がＯＮである。
【００４０】
（３）第１ＶＧＡ部３８１と第１映像出力部３８４及び第２映像出力部３８５とを接続する。この場合は、スイッチＳ１，Ｓ３がＯＮであり、スイッチＳ２，Ｓ４がＯＦＦである。
【００４１】
（４）第２ＶＧＡ部３８２と第１映像出力部３８４及び第２映像出力部３８５とを接続する。この場合は、スイッチＳ１，Ｓ３がＯＦＦであり、スイッチＳ２，Ｓ４がＯＮである。
【００４２】
この切替スイッチ部３８３の４つのスイッチＳ１，Ｓ２，Ｓ３，Ｓ４のＯＮ／ＯＦＦは制御部１２が制御可能であり、したがって、制御部１２は、
「ビデオＲＡＭ３２に記憶された映像データを表示部３６の右画面に表示させ、ビデオＲＡＭ３３に記憶された映像データを表示部３６の左画面に表示させる」パターン
「ビデオＲＡＭ３２に記憶された映像データを表示部３６の左画面に表示させ、ビデオＲＡＭ３３に記憶された映像データを表示部３６の右画面に表示させる」パターン
「ビデオＲＡＭ３２に記憶された映像データを表示部３６の左右両画面に表示させる」パターン
「ビデオＲＡＭ３３に記憶された映像データを表示部３６の左右両画面に表示させる」パターン
を任意に切替制御することができる。
【００４３】
遅延回路部３８６は、第１映像出力部３８４から出力される映像信号を所定時間ΔＴ遅らせ表示部３６に出力するものである。この遅延回路部３８６は、例えばフリップフロップ回路を用いて構成される。
【００４４】
表示部３６の右画面に表示させる映像及び左画面に表示させる映像は複数のフレーム（画面）で構成されている。
制御部１２が第１ＶＧＡ部３８１と第２ＶＧＡ部３８２とを制御して、同じフレーム切替タイミングで、且つ同じフレーム切替周期で映像再生させた場合には、表示部３６の右画面に表示させる映像のフレーム切替タイミングは、図７に示すように、表示部３６の左画面に表示させる映像のフレーム切替タイミングよりも所定時間ΔＴ遅れる。この「フレーム切替タイミング」とは、１つのフレームから次のフレームに切り替わるタイミンングを指す。「フレーム切替周期」とは、１つの「フレーム切替タイミング」から次の「フレーム切替タイミング」までの時間を指す。例えば表示部３６の右画面に表示させる映像及び左画面に表示させる映像をともに、３０フレームを１秒間に表示させると、フレーム切替タイミングは１／３０秒（約０．０３３秒）ごとに発生し、フレーム切替周期は１／３０秒（約０．０３３秒）となる。
【００４５】
そして、上述した「所定時間ΔＴ」とは、映像受光部２７ａ及び映像受光部２７ｂが受けた光のフレーム切替タイミングを検出するための処理時間を超える時間であり、且つフレーム切替タイミングが発生するタイミングごとに、そのタイミングを基準にして前後に
前記処理時間を除いた時間帯に設定される時間である。例えば映像受光部２７ａ及び映像受光部２７ｂが受けた光のフレーム切替タイミングを検出するための処理時間が０．００５秒未満であり、表示部３６の右画面に表示させる映像及び左画面に表示させる映像のフレーム切替周期が、１／３０秒（約０．０３３秒）であれば、１回目のフレーム切替タイミングが発生するまでに「所定時間」を設定する場合には、次のようにすればよい。すなわち、「所定時間」を０．００５秒以上から約０．０３３秒−０．００５秒＝約０．０２８秒以下までの時間、例えば０．０１６秒と設定すればよい。
【００４６】
［映像受光部２７ａ，２７ｂの構成の説明］
映像受光部２７ａ，２７ｂが、上述したように大人用マイク２５ａと子供用マイク２５ｂにそれぞれ設けられているが、それぞれ構成が同じであるので、構成要素の符号については数字の後に英字ａ，ｂを付さないで以下説明する。
【００４７】
図３（ａ）は映像受光部２７が設けられているマイク２５の外観を示す斜視図であり、図３（ｂ）はそのマイク２５の縦断面図である。
マイク２５は、略球形の形状を有する受音受光部２５０と、その受音受光部２５０に接続する握り手部２５６と、カラオケ装置１の本体へ接続させるための端子部２５７とを備えている。
【００４８】
受音受光部２５０は、図３（ａ）に示すように、上部２５１と、透光部２５３と、下部２５５とを備えている。以下、順に説明する。
上部２５１は、マイク２５の内部を保護する金網と、その金網の内側に取り付けられる遮光性を有する防風部材例えばゴム製のスポンジシート材とからなり、円蓋状の形状をなし、外部からの音声を内部へ導入する。
【００４９】
透光部２５３は、透明な材料例えばガラスまたは樹脂成形品からなり、リング状の形状をなし、その円縁一端部を上部２５１の円縁端部に接続し、外部からの光を内部へ導入する。
【００５０】
下部２５５は、マイク２５の内部を保護する金網と、その金網の内側に取り付けられる遮光性を有する防風部材例えばゴム製のスポンジシート材とからなり、円蓋状の形状をなし、その円縁端部を透光部２５３の円縁他端部に接続し、外部からの音声を内部へ導入する。
【００５１】
握り手部２５６は、板金または樹脂成形品からなり、先端を切り落とした円錐状の形状をなし、その直径が大きい側の円縁一端部を下部２５５の頭頂部に接続している。そして、握り手部２５６の円縁他端部から端子部２５７へ、受音受光部２５０からの音声信号、受光信号を伝送するためのケーブル２５８が設けられている。
【００５２】
また、受音受光部２５０は、図３（ｂ）に示すように、透光部２５３の内部に配置され透光部２５３によって内部へ導入された光を集める集光体２５９と、この集光体２５９によって集められた光を屈曲させるための集光レンズ２６１と、この集光レンズ２６１によって屈曲された光を受ける受光部２６３とを備えている。なお、受光部２６３が光を受けて出力する受光信号をケーブル２５８へ伝送するためのケーブル（図示しない）が設けられている。
【００５３】
さらに、受音受光部２５０は、上部２５１または下部２５５によって内部へ導入された音声を受ける受音部２６５を備えている。そして、受音部２６５が音声を受けて出力する音声信号をケーブル２５８へ伝送するためのケーブル（図示しない）が設けられている。
【００５４】
以下、上述した集光体２５９、集光レンズ２６１、受光部２６３及び受音部２６５について順次説明する。
集光体２５９は、金属または樹脂成形品からなり、略円錐状の形状をなし、この略円錐状の表面部には、光を反射するための加工処理が施されている。なお、この略円錐状の形状は、軸心に対して直交する円の直径が軸方向の位置の変化に対して１次関数的に減少して形成される面であってもよいし、２次関数的に減少して形成される面であってもよい。ここで、１次関数的とはこの略円錐状の面の軸心に対して直交する方向へ投影してなる外縁が略直線であることを指し、２次関数的とはこの略円錐状の面の軸心に対して直交する方向へ投影してなる外縁が星芒形（アステロイド）などの曲線も含むことを指す。
【００５５】
前記１次関数的に減少して形成される面の場合には、光の入射角度の変化度合いに対して反射後の射出角度の変化度合いは同じとなるが、前記２次関数的に減少して形成される面の場合には、光の入射角度の変化度合いに対して反射後の射出角度の変化度合いが小さくなる。つまり、同じ光の入射角度の変化度合いであれば、１次関数的に減少して形成される面の場合に比べると２次関数的に減少して形成される面の場合の方が、反射後の射出角度の変化度合いが小いので、反射光を集め易い。
【００５６】
集光レンズ２６１は、透明な材料例えばガラスまたは樹脂成形品からなり、凸レンズの形状をなし、集光体２５９によって集められた光を受光部２６３の中心部方向へ屈曲させる。
【００５７】
受光部２６３は、光を受けて受光信号を出力する受光センサ例えばフォトトランジスタで構成される。
受音部２６５は、音を受けて音声信号を出力するダイナミック型（導電型）マイクロフォンでもよいし、コンデンサー型（静電型）マイクロフォンでもよい。
【００５８】
図２に示すように、表示部３６の右画面に表示させた映像の光及び表示部３６の左画面に表示させた映像の光を受けると大人用マイク２５ａに設けられた映像受光部２７ａ及び子供用マイク２５ｂに設けられた映像受光部２７ｂが受光信号を制御部１２へ出力する。そして、制御部１２は、映像受光部２７ａ及び映像受光部２７ｂが出力した受光信号を入力し、その受光信号からフレーム切替タイミングを抽出する。
【００５９】
この受光信号からフレーム切替タイミングを抽出するには、次のような処理手順が考えられる。例えば映像受光部２７ａ及び映像受光部２７ｂが出力した受光信号を微分回路（図示せず）が微分することによって受光信号の信号レベルが瞬時的に変化する変化点を表す微分信号を生成し、この微分信号を波形整形回路（図示せず）が波形整形することで生成される信号からフレーム切替タイミングを抽出する。
【００６０】
その抽出されたフレーム切替タイミングと、表示部３６の右画面に表示させた映像のフレーム切替タイミング及び左画面に表示させた映像のフレーム切替タイミングとの時間差をそれぞれ算出する。
【００６１】
その算出された時間差が、次の有効時間内であれば、その抽出されたフレーム切替タイミングに対応する映像が、その時間差を算出したフレーム切替タイミングに対応する映像と判断する。この「有効時間内」とは、表示部３６の右画面に表示させる映像のフレーム切替タイミングと左画面に表示させる映像のフレーム切替タイミングとの区別ができる時間を指す。例えば映像受光部２７ａ及び映像受光部２７ｂが受けた光の処理時間が０．００５秒未満であり、上述した「所定時間」ΔＴが０．０１６秒であれば、この「有効時間内」は０．００５秒から０．０１６秒までの時間内となる。よって、例えば抽出されたフレーム切替タイミングと、表示部３６の右画面に表示させる映像のフレーム切替タイミングとの時間差が、０．００７秒であれば、その抽出されたフレーム切替タイミングに対応する映像が、その時間差を算出した表示部３６の右画面に表示させる映像と判断する。
【００６２】
そして、その抽出されたフレーム切替タイミングを表示部３６の右画面に表示させた映像のみと判断した場合には、マイク２５の存在位置を表示部３６の表示画面に向かって右側の領域（以下、右領域とも称す）と推定できる。一方、その抽出されたフレーム切替タイミングを表示部３６の左画面に表示させた映像のみと判断した場合には、マイク２５の存在位置を表示部３６に向かって左側の領域（以下、左領域とも称す）と推定できる。また、その抽出されたフレーム切替タイミングを表示部３６の右画面に表示させた映像と表示部３６の左画面に表示させた映像とであると判断した場合には、マイク２５の存在位置を右領域と左領域の境界領域と推定できる。なお、映像受光部２７ａを設けた大人用マイク２５ａ及び映像受光部２７ｂを設けた子供用マイク２５ｂは、カラオケ装置１の本体へ接続されるのであるが、図２においては図示しない。
【００６３】
なお、大人用マイク２５ａと子供用マイク２５ｂを制御部１２がどのように識別するかについては、例えば下記のような工夫が考えられる。
（１）大人用マイク２５ａと子供用マイク２５ｂを固定的にカラオケ装置１の本体に接続する。この場合は、制御部１２は確実に両者を区別できる。
【００６４】
（２）マイクを接続するためのジャック位置を決めておく。例えば２本のマイクジャックをカラオケ装置１の本体に準備し、例えば大人用マイク２５ａは右側のジャック、子供用マイク２５ｂは左側のジャックに接続するようにする。この場合、例えばマイクピンの形状及びマイクジャックの形状を大人用と子供用で異なるものとし、それぞれ対応するマイクジャックにしかマイクピンを差し込めないようにすれば、両者を間違えて接続することはなくなる。
【００６５】
（３）マイクをジャックに接続した際に、電気的あるいは機械的に検出するようにしてもよい。機械的に検出する場合には、マイクピンの形状を変更することとなる。
なお、大人用マイク２５ａが「第１のマイクロフォン」に相当し、子供用マイク２５ｂが「第２のマイクロフォン」に相当する。表示部３６が「表示手段」に相当し、制御部１２が「制御手段」及び「抽出手段」に相当し、映像受光部２７ａ，２７ｂが「第１の受光手段」、「第２の受光手段」にそれぞれ相当し、ＨＤＤ１６が「記憶手段」に相当する。また、集光体２５９と集光レンズ２６１とが「集光体」に相当する。
【００６６】
以下、カラオケ装置１の制御部１２が実行する各種処理を説明する。
［背景映像の表示制御処理の説明］
カラオケ装置１の制御部１２が実行する背景映像の表示制御処理について図４、図５のフローチャート等に基づいて説明する。
【００６７】
図４に示すフローチャートは、所定のカラオケ楽曲が選択されている場合の制御処理全体を示している。ここで、「所定のカラオケ楽曲」とは、背景映像に大人向けの映像内容が含まれているような楽曲である。曲番号と、この「所定のカラオケ楽曲」か否かを示す情報（例えばフラグ）との対応関係を示すテーブルがＨＤＤ１６に記憶されている、したがって、操作部１８で受け付けたカラオケ演奏楽曲の選曲番号のデータは操作処理部２２によって制御部１２へ送信されるのであるが、制御部１２は、操作処理部２２から選曲番号のデータを受信すると、上述の対応関係を示すテーブルをＨＤＤ１６から読み出して参照することで、「所定のカラオケ楽曲」か否かを判定し、「所定のカラオケ楽曲」であれば、図４のフローチャートに示す処理を開始する。
【００６８】
なお、「所定のカラオケ楽曲」以外の場合のカラオケ楽曲が選択された場合の処理については、ここでは省略する。
図４のフローチャートに示す処理が開始すると、まず曲のタイトルを表示部３６へ表示する（Ｓ１０）。このタイトル表示は、楽曲データ中に含まれているタイトルデータを用いて行う。
【００６９】
ここで、図６を参照して楽曲データフォーマットについて説明する。楽曲データは、楽曲に関する管理情報を記憶しているヘッダ情報部、曲のタイトルを画像表示する際に用いるタイトル画像情報を記憶しているタイトルデータ部、楽曲演奏用のＭＩＤＩデータを記憶しているＭＩＤＩデータ部によって構成されている。
【００７０】
この内、ヘッダ情報部は、ＭＩＤＩデータサイズとタイトルデータサイズを含んでいる。また、ＭＩＤＩデータ部は、前奏部分のＭＩＤＩデータ、タイトル消去を示すデータ、１コーラス目に対応するＭＩＤＩデータ、１コーラス終了を示すデータ、２コーラス目に対応するＭＩＤＩデータ、２コーラス終了を示すデータ、３コーラス目に対応するＭＩＤＩデータ、後奏であることを示すデータ、後奏部分のＭＩＤＩデータによって構成されている。図４のＳ１０では、楽曲データ曲のヘッダ情報の次に含まれているタイトルデータを読み出し、表示部３６へ表示する。Ｓ１０の処理が終了したらＳ３０の処理へ移行する。
【００７１】
また、図４のフローチャートに示す処理が開始すると、Ｓ１０の処理とともに、背景映像の出力処理を実行する（Ｓ４０）。この背景映像出力処理の詳細については、図５のフローチャートを参照して後で説明する。Ｓ４０の処理が終了したらＳ５０の処理へ移行する。
【００７２】
Ｓ３０の処理においては、カラオケ演奏を開始する。ここでいうカラオケ演奏の開始とは、図６に示す楽曲データ中のＭＩＤＩデータを再生出力させる処理である。Ｓ３０の処理が終了したらＳ５０の処理へ移行する。
【００７３】
Ｓ５０の処理においては、演奏終了か否かを判断する。演奏終了していないと判断した場合には（Ｓ５０：ＮＯ）、Ｓ４０の処理へ戻り、上述した処理へ移行する。つまり、演奏終了（Ｓ５０：ＹＥＳ）するまで、Ｓ４０の処理を繰り返し行う。一方、演奏終了したと判断した場合には（Ｓ５０：ＹＥＳ）、本処理を終了する。
【００７４】
［背景映像出力処理］
それでは、背景映像出力処理の詳細について、図５のフローチャートを参照して説明する。
【００７５】
まず、図７に示すように、表示部３６の右画面に表示させる映像のフレーム切替タイミングを、表示部３６の左画面に表示させる映像のフレーム切替タイミングより所定時間ΔＴ遅らせ表示部３６の左右両画面にそれぞれ映像を表示させる（Ｓ２１０）。
【００７６】
そして、その右画面の映像及び左画面の映像を大人用マイク２５ａに設けられた映像受光部２７ａ及び子供用マイク２５ｂに設けられた映像受光部２７ｂで受けて大人用マイク２５ａ及び子供用マイク２５ｂそれぞれの存在位置を推定する（Ｓ２２０〜Ｓ２９０）。
【００７７】
図２を参照して説明したように、表示部３６の右画面に表示させる映像の光及び表示部３６の左画面に表示させる映像の光を受けると大人用マイク２５ａに設けられた映像受光部２７ａ及び子供用マイク２５ｂに設けられた映像受光部２７ｂが受光信号を制御部１２へ出力する。そして、制御部１２は、映像受光部２７ａ及び映像受光部２７ｂが出力した受光信号を入力し、その受光信号からフレーム切替タイミングを抽出する。
【００７８】
そして、図７に例示するように、映像受光部２７ａが出力した受光信号から抽出したフレーム切替タイミングが表示部３６の左画面に表示させた映像のみと判断には、大人用マイク２５ａの存在位置を左領域と推定し、映像受光部２７ｂが出力した受光信号から抽出したフレーム切替タイミングが表示部３６の右画面に表示させた映像のみと判断には、子供用マイク２５ｂの存在位置を右領域と推定する。
【００７９】
一方、図８に例示するように、映像受光部２７ａが出力した受光信号から抽出したフレーム切替タイミングが表示部３６の右画面に表示させた映像のみと判断には、大人用マイク２５ａの存在位置を右領域と推定し、映像受光部２７ｂが出力した受光信号から抽出したフレーム切替タイミングが表示部３６の左画面に表示させた映像のみと判断には、子供用マイク２５ｂの存在位置を左領域と推定する。
【００８０】
また、図９に例示するように、映像受光部２７ａ及び映像受光部２７ｂが出力した受光信号から抽出したフレーム切替タイミングが、共に表示部３６の左画面に表示させた映像のみと判断には、大人用マイク２５ａ及び子供用マイク２５ｂの存在位置を、共に左領域と推定する。
【００８１】
さらに、映像受光部２７ａ及び映像受光部２７ｂが出力した受光信号から抽出したフレーム切替タイミングが、表示部３６の右画面に表示させた映像と表示部３６の左画面に表示させた映像とであると判断した場合には、大人用マイク２５ａ及び子供用マイク２５ｂの存在位置を右領域と左領域の境界領域と推定する。
【００８２】
そして、大人用マイク２５ａに設けられた映像受光部２７ａ及び子供用マイク２５ｂに設けられた映像受光部２７ｂで受けた光の映像に基づいて、図１１に示す右映像が見える領域、左映像が見える領域、それらの間にある左右映像が混ざって見える領域の何れに大人用マイク２５ａあるいは子供用マイク２５ｂが存在するかの対応関係を把握することができる。具体的には、右領域、左領域及び境界領域を、それぞれ図１０に示す右映像が見える領域、左映像が見える領域及び左右映像が混ざって見える領域に対応させる。
【００８３】
したがって、その対応関係を制御部１２内のメモリに記憶させておき、その対応関係を用いて子供用マイク２５ｂの存在位置（存在領域）の判定（Ｓ２２０）を行い、右側に位置するのか（Ｓ２３０）、中央に位置するのか（Ｓ２４０）、左側に位置するのか（Ｓ２５０）を決定する。同様に、上記対応関係を用いて大人用マイク２５ａの位置判定（Ｓ２６０）を行い、右側に位置するのか（Ｓ２７０）、中央に位置するのか（Ｓ２８０）、左側に位置するのか（Ｓ２９０）を決定する。
【００８４】
そして、子供用マイク２５ｂの位置が右側であり且つ大人用マイク２５ａの位置が左側であるか否か判定する（Ｓ３００）。そして、子供用マイク２５ｂの位置が右側であり且つ大人用マイク２５ａの位置が左側である場合には（Ｓ３００：ＹＥＳ）、表示部３６の右画面に出力する映像は「非アダルト」、左画面に出力する映像は「アダルト」となるように制御する（Ｓ３１０）。本実施形態では、ビデオＲＡＭ３２に大人向けの「アダルト映像」が記憶されて第１ＶＧＡ部３８１へ供給され、他方のビデオＲＡＭ３３に子供向けの「非アダルト映像」が記憶されて第２ＶＧＡ部３８２へ供給されるように構成されている。そのため、具体的には、スイッチＳ１，Ｓ２がＯＮ且つスイッチＳ３，Ｓ４がＯＦＦとなるよう制御する。このようにすることで、第１ＶＧＡ部３８１と第１映像出力部３８４とが接続し、第２ＶＧＡ部３８２と第２映像出力部３８５とが接続する。したがって、ビデオＲＡＭ３２に記憶されたアダルト映像が表示部３６の右画面に表示され、ビデオＲＡＭ３３に記憶された非アダルト映像が表示部３６の左画面に表示されることとなる。
【００８５】
一方、Ｓ３００にて否定判定された場合には、Ｓ３２０へ移行して、子供用マイク２５ｂの位置が左側であり且つ大人用マイク２５ａの位置が右側であるか否か判定する。そして、子供用マイク２５ｂの位置が左側であり且つ大人用マイク２５ａの位置が右側である場合には（Ｓ３２０：ＹＥＳ）、表示部３６の右画面に出力する映像は「アダルト」、左画面に出力する映像は「非アダルト」となるようにする（Ｓ３３０）。具体的には、スイッチＳ１，Ｓ２がＯＦＦ且つスイッチＳ３，Ｓ４がＯＮとなるよう制御する。このようにすることで、第１ＶＧＡ部３８１と第２映像出力部３８５とが接続し、第２ＶＧＡ部３８２と第１映像出力部３８４とが接続する。したがって、ビデオＲＡＭ３２に記憶されたアダルト映像が表示部３６の左画面に表示され、ビデオＲＡＭ３３に記憶された非アダルト映像が表示部３６の右画面に表示されることとなる。
【００８６】
また、Ｓ３２０にて否定判定された場合には、Ｓ３４０へ移行して、表示部３６の左右画面に出力する映像を共に「非アダルト」となるようにする。具体的には、スイッチＳ１，Ｓ３がＯＦＦ且つスイッチＳ２，Ｓ４がＯＮとなるよう制御する。このようにすることで、第２ＶＧＡ部３８２と第１映像出力部３８４及び第２映像出力部３８５とが接続される。したがって、ビデオＲＡＭ３３に記憶された非アダルト映像が表示部３６の左右画面に表示されることとなる。
【００８７】
なお、Ｓ３２０にて否定判定された場合とは、子供用マイク２５ｂの位置及び大人用マイク２５ａの位置が共に同じ位置である場合、あるいは何れか一方が中央に位置する場合を意味する。図１１を参照して説明したように、中央付近から見ると左右の画像が混ざった画像として見えることとなる。したがって、子供にアダルト映像を見せないためには、子供が中央にいる場合、つまり子供用マイク２５ｂの位置が中央の場合には、左右画面の何れも非アダルト映像とする必要がある。また、子供が左右何れかにおり大人が中央にいる場合、子供には非アダルト映像しか見えないが、仮に左右で異なる映像を表示すると、中央に居る大人は混ざった映像を見ることとなる。このような混ざった映像は見るに耐えない映像なので、左右両画面を同じ映像、つまり子供用の非アダルト映像を表示させるのである。
【００８８】
図１０（ａ）は、以上説明した背景映像出力処理における大人用マイク２５ａ及び子供用マイク２５ｂの位置と、左右画面の映像内容の対応関係を示す説明図であり、図１０（ｂ）は、大人用マイク２５ａ及び子供用マイク２５ｂの位置と、切替スイッチ部３８３の４つのスイッチＳ１，Ｓ２，Ｓ３，Ｓ４のＯＮ／ＯＦＦ状態の対応関係を示す説明図である。
【００８９】
［効果の説明］
（１）本実施形態のカラオケ装置１によれば、大人と子供が２人で一緒にカラオケ曲を歌唱する場合であって、背景映像に大人向けの映像内容が含まれている楽曲を選択した場合には、上述した背景映像出力処理（図４のＳ４０及び図５参照）を実行することにより、大人用マイク２５ａ及び子供用マイク２５ｂの位置を介して大人と子供の位置関係を自動的に判定する。そして、その判定した対応関係に基づいて、表示部３６の左右画面へ表示する背景映像の内容を制御する。具体的には、子供には大人向けの背景映像を見せないようにしながら、大人はその背景映像を見ることができるようにすることができる。つまり、大人・子供それぞれに適した背景映像を表示させることができるため、よりカラオケを楽しむことができる。
【００９０】
（２）また、本実施形態のカラオケ装置１では、背景映像に大人向けの映像内容が含まれている楽曲が選択されてからカラオケ演奏終了するまでの間、上述した背景映像出力処理（図４のＳ４０及び図５参照）を実行するので、非アダルト映像しか見えていない場所にいた子供がアダルト映像も見えるような位置に来た場合、あるいは来そうな場合に、子供には大人向けの背景映像を見せないようにすることができる。
【００９１】
［他の実施形態］
以上、本発明の実施形態について説明したが、本発明は上記実施形態に限定されるものではなく、以下のような様々な態様にて実施することが可能である。
【００９２】
（１）上記実施形態では、カラオケルーム４９内のカラオケ装置１における実施を想定したが、自動車内などの移動体内の車載カラオケ装置において実施してもよい。以下、自動車４４９内における実施形態を図１２（ａ）に基づいて説明する。
【００９３】
図１２（ａ）は自動車４４９内における表示部３６の配置の様子を示す説明図である。
そして、図７に示すように、表示部３６の右画面に表示させる映像のフレーム切替タイミングを、表示部３６の左画面に表示させる映像のフレーム切替タイミングより所定時間ΔＴ遅らせ表示部３６の左右両画面にそれぞれ映像を表示させる。
【００９４】
また、図１２（ａ）は前席の右領域（運転席）に大人の利用者が存在し、前席の左領域（助手席）に子供の利用者が存在し、後席に１人の子供の利用者が存在している様子を示している。そして、後席の子供は右領域へも左領域へも移動可能な様子を示している。なお、例えばカーナビの表示部がデュアルビューディスプレイであれば、このカーナビの表示部をカラオケ装置１の表示部３６として使用することもできる。
【００９５】
このように構成された実施形態においては、自動車４４９内などの移動体内において実施することができるので、自動車４４９内において大人と子供が２人で一緒にカラオケ曲を歌唱する場合であって、背景映像に大人向けの映像内容が含まれている楽曲を選択した場合には、上述した背景映像出力処理（図４のＳ４０及び図５参照）を実行することにより、大人用マイク２５ａ及び子供用マイク２５ｂの位置を介して大人と子供の位置関係を自動的に判定する。そして、その判定した対応関係に基づいて、表示部３６の左右画面へ表示する背景映像の内容を制御する。具体的には、助手席もしくは後席に位置する子供には大人向けの背景映像を見せないようにしながら、運転席に位置する大人はその背景映像を見ることができるようにすることができる。つまり、大人・子供それぞれに適した背景映像を表示させることができるため、よりカラオケを楽しむことができる。なお、カラオケ装置を利用する場合には、自動車４４９は停車しているものとする。
【００９６】
また、自動車４４９内に限らず、バス内でもよいし、列車内、飛行機内など種々の移動体内での実施が考えられる。
（２）上記実施形態では、映像受光部２７が設けられているマイク２５がカラオケ装置１の本体へケーブルで接続された有線通信であったが、無線通信でもよい。つまり、マイクは歌唱音声信号と受光信号を無線通信で送信するための送信部を備え、カラオケ装置はマイクを介して入力された歌唱音声信号と受光信号を無線通信にて受信するための受信部を備える。以下、このように構成されたマイクの実施形態を図１２（ｂ）〜（ｄ）に基づいて説明する。
【００９７】
図１２（ｂ）は首輪部２６７を有する無線通信式のマイク２５ｃを示す説明図であり、図１２（ｃ）はそのマイク２５ｃを利用者が装着した状態を示す説明図であり、図１２（ｄ）はバッジタイプで無線通信式のマイク２５ｄを利用者が装着した状態を示す説明図である。
【００９８】
無線通信式のマイク２５ｃは、図１２（ｂ）に示すように、マイク２５に対して歌唱音声信号と、映像受光部２７から出力され、無線周波数で再変調された受光信号とを無線通信で送信するための送信部（図示せず）と、アンテナ２６９と、首輪部２６７を備える。そして、利用者は、図１２（ｃ）に示すように、マイク２５ｃに備えられた首輪部２６７を首に掛けて使用する。
【００９９】
無線通信式のマイク２５ｄは、マイク２５ｃと同様にマイク２５に対して歌唱音声信号と、映像受光部２７から出力され、無線周波数で再変調された受光信号とを無線通信で送信するための送信部（図示せず）と、アンテナ（図示せず）と、クリップ部（図示せず）を備える。そして、利用者は、図１２（ｄ）に示すように、マイク２５ｄに備えられたクリップ部（図示せず）でマイク２５ｄを胸に留めて使用する。よって、マイク２５ｃとマイク２５ｄとは、首輪部２６７とクリップ部（図示せず）の構成のみ相違している。なお、マイク２５ｃ，２５ｄの送信部を例えばＲＦタグ（Radio Frequency IDentification）方式の構成とすれば、送信部（図示せず）を小型化できる。
【０１００】
そして、カラオケ装置はマイクを介して入力された歌唱音声信号と、映像受光部２７から出力され、無線周波数で再変調された受光信号とを無線通信にて受信し、受信した前記歌唱音声信号を音声認識部２４へ出力し、前記受光信号を復調して制御部１２へ出力するための受信部を備える。
【０１０１】
このように構成された実施形態においては、マイクは歌唱音声信号と受光信号を無線通信で送信するための送信部を備え、カラオケ装置はマイクを介して入力された歌唱音声信号と受光信号を無線通信にて受信するための受信部を備えているので、カラオケ装置１の本体に接続されるケーブルを有する有線通信式のマイクに比べて、利用者はケーブルの絡みつきを気にせず移動することができる。特に、自動車内などの狭い移動体内においては、ケーブルの絡みつきを気にせずにカラオケを楽しむことができる。
【０１０２】
（３）上記実施形態では、大人用マイク２５ａ、子供用マイク２５ｂがそれぞれ１本ずつの計２本のマイクを想定したが、例えば大人用マイク、子供用マイクが２本以上存在してもよい。この場合には、２本以上の子供用マイクの少なくとも何れか一方がアダルト映像の見える位置に存在する場合には、表示部３６の左右両画面に非アダルト映像を表示させる。そして、２本以上の子供用マイクの全てが左右の何れかに存在し、２本以上の大人用マイクの全てが子供用マイクの存在する側とは反対側に存在する場合に、左右それぞれにアダルト映像と非アダルト映像を表示させるようにすればよい。
【０１０３】
（４）上記実施形態では、第１の歌唱者と第２の歌唱者の関係について、大人と子供という事例を挙げて説明したが、第１の歌唱者と第２の歌唱者は大人と子供という関係のみに限定されるわけではない。例えば男と女であってもよいし、上司と部下など、種々考えられる。そして、それらの関係に応じて背景画像の内容も適宜設定すればよい。
【図面の簡単な説明】
【０１０４】
【図１】カラオケ装置１の構成を示すブロック図である。
【図２】映像出力及び映像受光に関する構成を示すブロック図である。
【図３】（ａ）は映像受光部２７が設けられているマイク２５の外観を示す斜視図であり、（ｂ）はそのマイク２５の縦断面図である。
【図４】所定のカラオケ楽曲が選択されている場合の制御処理全体を示すフローチャートである。
【図５】背景映像出力処理を示すフローチャートである。
【図６】楽曲データフォーマットの説明図である。
【図７】映像受光部２７ａが左画面の映像を受光し、映像受光部２７ｂが右画面の映像を受光する様子を示す説明図である。
【図８】映像受光部２７ａが右画面の映像を受光し、映像受光部２７ｂが左画面の映像を受光する様子を示す説明図である。
【図９】映像受光部２７ａと映像受光部２７ｂが左画面の映像を受光する様子を示す説明図である。
【図１０】（ａ）は大人用マイク２５ａ及び子供用マイク２５ｂの位置と、左右画面の映像内容の対応関係を示す説明図であり、（ｂ）は、大人用マイク２５ａ及び子供用マイク２５ｂの位置と、切替スイッチ部３８３の４つのスイッチＳ１，Ｓ２，Ｓ３，Ｓ４のＯＮ／ＯＦＦ状態の対応関係を示す説明図である。
【図１１】デュアルビュー表示の説明図である。
【図１２】（ａ）は自動車４４９内における表示部３６の配置の様子を示す説明図であり、（ｂ）は首輪部２６７を有する無線通信式のマイク２５ｃを示す説明図であり、（ｃ）はそのマイク２５ｃを利用者が装着した状態を示す説明図であり、（ｄ）はバッジタイプで無線通信式のマイク２５ｄを利用者が装着した状態を示す説明図である。
【符号の説明】
【０１０５】
１…カラオケ装置、２…リモコン端末、１２…制御部、１４…インタフェース部、１６…ハードディスク（ＨＤＤ）、１８…操作部、２０…赤外線通信部、２２…操作処理部、２４…音声制御部、２５ａ…大人用マイク、２５ｂ…子供用マイク、２５，２５ｃ，２５ｄ…マイク、２７ａ，２７ｂ，２７…映像受光部、２８…スピーカ、３０…ＭＩＤＩ音源、３２，３３…ビデオＲＡＭ、３６…表示部、３８…映像制御部、３９…バス、４０…ＵＳＢ、１００…ネットワーク、２５０…受音受光部、２５１…上部、２５３…透光部、２５５…下部、２５６…握り手部、２５７…端子部、２５８…ケーブル、２５９…集光体、２６１…集光レンズ、２６３…受光部、２６５…受音部、２６７…首輪部、２６９…アンテナ、３８１…第１ＶＧＡ部、３８２…第２ＶＧＡ部、３８３…切替スイッチ部、３８４…第１映像出力部、３８５…第２映像出力部、３８６…遅延回路部、４４９…自動車。
【図１】
2007271985.tif 000003
【図２】
2007271985.tif 000004
【図４】
2007271985.tif 000005
【図５】
2007271985.tif 000006
【図６】
2007271985.tif 000007
【図７】
2007271985.tif 000008
【図８】
2007271985.tif 000009
【図９】
2007271985.tif 000010
【図１０】
2007271985.tif 000011
【図１１】
2007271985.tif 000012
【図３】
2007271985.tif 000013
【図１２】
2007271985.tif 000014